(57)【特許請求の範囲】
【請求項１】
画像データを入力する入力手段と、
前記入力された画像データの出力処理を実行する出力手段と、
前記出力手段が第１の画像データの出力処理を実行しているときに外部装置から第２の画像データの出力要求があった場合、前記第２の画像データの前記出力手段による出力処理を実行させるか否かの選択を前記外部装置へ要求する要求手段と、
前記要求手段の要求に対して前記外部装置が前記第２の画像データの出力処理を実行させることを選択した場合は前記第２の画像データの出力処理を実行し、前記要求手段の要求に対して前記外部装置が前記第２の画像データの出力処理を実行させないことを選択した場合は前記第２の画像データの出力処理を実行しないよう前記出力手段を制御する制御手段と、
を有することを特徴とする画像処理装置。
【請求項２】
前記制御手段は、前記外部装置が前記第２の画像データの出力処理を実行させることを選択した場合は前記第１の画像データの出力処理を中断して前記第２の画像データの出力処理を実行し、前記第２の画像データの出力処理が終了したことに応じて前記第１の画像データの出力処理を再開するよう前記出力手段を制御することを特徴とする請求項１に記載の画像処理装置。
【請求項３】
前記制御手段は、前記外部装置が前記第２の画像データの出力処理を実行させないことを選択した場合は、前記第２の画像データの出力処理を実行することなく前記第１の画像データの出力処理を引き続き実行するよう前記出力手段を制御することを特徴とする請求項２に記載の画像処理装置。
【請求項４】
前記要求手段が前記外部装置に要求する前記出力処理を実行させるか否かの選択は、前記第２の画像データを第１モードにて出力処理するとの選択と、前記第２の画像データを第２モードにて出力処理するとの選択を含み、
前記制御手段は、前記外部装置が前記第２の画像データを前記第１モードにて出力処理するとの選択をした場合は、前記第１の画像データの出力処理を中断して前記第２の画像データの出力処理を終了させた後に前記第１の画像データの出力処理を再開させ、前記外部装置が前記第２の画像データを前記第２モードにて出力処理するとの選択をした場合は、前記第１の画像データの出力処理と前記第２の画像データの出力処理を所定ページ毎に交互に実行させるよう前記出力手段を制御することを特徴とする請求項１に画像処理装置。
【請求項５】
前記画像処理装置はネットワークを介して他の画像処理装置と接続されており、
前記制御手段は、前記外部装置が前記第２の画像データの前記出力手段による出力処理を実行させないとの実行内容を選択した場合は前記他の画像処理装置に前記第２の画像データを出力させるよう制御することを特徴とする請求項１乃至４のいずれかに記載の画像処理装置。
【請求項６】
原稿画像を読み取る画像読み取り手段を有し、
前記入力手段は、前記画像読み取り手段が読み取った画像データ又は外部装置から受信した画像データを入力することを特徴とする請求項１乃至５のいずれかに記載の画像処理装置。
【請求項７】
画像データの出力処理を実行する画像処理装置の制御方法であって、
外部装置から画像データの出力要求があるか否かを判定する第１の判定ステップと、
前記第１の判定ステップが前記出力要求があると判定したことに応じて、前記画像処理装置にて他の画像データの出力処理を実行しているか否かを判定する第２の判定ステップと、
前記第２の判定ステップが前記出力処理を実行していると判定したことに応じて、前記外部装置からの画像データの出力処理を実行させるか否かの選択を前記外部装置へ要求する要求ステップと、
前記要求ステップの要求に対して前記外部装置が前記外部装置からの画像データの出力処理を実行させることを選択した場合は前記外部装置からの画像データの出力処理を実行し、前記要求ステップの要求に対して前記外部装置が前記外部装置からの画像データの出力処理を実行させないことを選択した場合は前記外部装置からの画像データの出力処理を実行しないよう制御する制御ステップと、
を有することを特徴とする画像処理装置の制御方法。
【請求項８】
前記制御ステップは、前記外部装置が前記外部装置からの画像データの出力処理を実行させることを選択した場合は前記他の画像データの出力処理を中断して前記外部装置からの画像データの出力処理を実行し、前記外部装置からの画像データの出力処理が終了したことに応じて前記他の画像データの出力処理を再開するよう制御することを特徴とする請求項７に記載の画像処理装置の制御方法。
【請求項９】
前記制御ステップは、前記外部装置が前記外部装置からの画像データの出力処理を実行させないことを選択した場合は、前記外部装置からの画像データの出力処理を実行することなく前記他の画像データの出力処理を引き続き実行するよう制御することを特徴とする請求項８に記載の画像処理装置の制御方法。
【請求項１０】
前記要求ステップが前記外部装置に要求する前記出力処理を実行させるか否かの選択は、前記外部装置からの画像データを第１モードにて出力処理する旨の選択と、前記外部装置からの画像データを第２モードにて出力処理する旨の選択を含み、
前記制御ステップは、前記外部装置が前記外部装置からの画像データを前記第１モードにて出力処理する旨の選択をした場合は、前記他の画像データの出力処理を中断して前記外部装置からの画像データの出力処理を終了させた後に前記他の画像データの出力処理を再開させ、前記外部装置が前記外部装置からの画像データを前記第２モードにて出力処理する旨の選択をした場合は、前記他の画像データの出力処理と前記外部装置からの画像データの出力処理を所定ページ毎に交互に実行させるよう制御することを特徴とする請求項７に記載の画像処理装置の制御方法。
【発明の詳細な説明】
【０００１】
【発明の属する技術分野】
本発明は画像データの処理を行う画像処理装置に関し、特に処理の割り込みに関するものである。
【０００２】
【従来の技術】
近年、この種の装置、例えば複写機に通信機能を設けて複写機のスキャナ部を用いて読み取った画像データを送信したり、回線を受信した画像データや外部インターフェースを介してコンピュータ等の外部装置から受信した画像データを複写機のプリンタ部で記録することのできるものが実用化されている。
【０００３】
しかしながら、このように機能が複合化されると受信データの記録中にコピーを行いたい場合など処理が競合してしまうといった問題点が生じてくる。この問題点を解消するために、割込キーを設けて、この割込キー押下後は実行中の処理を中断して他の処理を行うものや、処理毎に優先順位を付して、この優先順位にしたがって割込の許可及び禁止を決定するものなどが知られている。
【０００４】
また、両面コピーや両面プリントを行っているときは、記録紙が中間トレー等で混在するのを避けるため、いかなる割り込みも許可しないようにしている。
【０００５】
【発明が解決しようとする課題】
しかしながら、従来の技術では実行中の処理の状況及び割り込ませる処理の条件とは無関係であるので実行中の処理の状況と割り込ませる処理の条件の組み合わせによっては割り込みを実行させた方が効率的な場合があったり、割り込ませない方が有効である場合があるにもかかわらず、割込キーの押下や優先順位に従って実行されてしまうといった欠点があった。
【０００６】
本発明は上述の問題点を除去するためになされたもので、複数の処理を効率的に実行させることができる画像処理装置を提供することを目的とする。
【０００７】
【課題を解決するための手段】
上記目的を達成するために本発明の画像処理装置は以下の構成を備える。
【０００８】
即ち、画像データを入力する入力手段と、前記入力された画像データの出力処理を実行する出力手段と、前記出力手段が第１の画像データの出力処理を実行しているときに外部装置から第２の画像データの出力要求があった場合、前記第２の画像データの前記出力手段による出力処理を実行させるか否かの選択を前記外部装置へ要求する要求手段と、前記要求手段の要求に対して前記外部装置が前記第２の画像データの出力処理を実行させることを選択した場合は前記第２の画像データの出力処理を実行し、前記要求手段の要求に対して前記外部装置が前記第２の画像データの出力処理を実行させないことを選択した場合は前記第２の画像データの出力処理を実行しないよう前記出力手段を制御する制御手段とを有する。
【０００９】
また、上記目的を達成するために本発明の画像処理装置の制御方法は、外部装置から画像データの出力要求があるか否かを判定する第１の判定ステップと、前記第１の判定ステップが前記出力要求があると判定したことに応じて、前記画像処理装置にて他の画像データの出力処理を実行しているか否かを判定する第２の判定ステップと、前記第２の判定ステップが前記出力処理を実行していると判定したことに応じて、前記外部装置からの画像データの出力処理を実行させるか否かの選択を前記外部装置へ要求する要求ステップと、前記要求ステップの要求に対して前記外部装置が前記外部装置からの画像データの出力処理を実行させることを選択した場合は前記外部装置からの画像データの出力処理を実行し、前記要求ステップの要求に対して前記外部装置が前記外部装置からの画像データの出力処理を実行させないことを選択した場合は前記外部装置からの画像データの出力処理を実行しないよう制御する制御ステップと、を有する。
【００１１】
【発明の実施の形態】
以下、図面を参照して本発明の実施の形態例について詳細に説明する。
【００１２】
（第１の実施例）
図２２は本発明の一実施例である複写機の構成を示す断面図である。
【００１３】
図２２において、１は原稿を自動的に給送する原稿給送装置であり、載置された原稿を１枚ずつあるいは２枚連続に原稿台ガラス面２上の所定位置に給送する。４は原稿を照射する露光ランプ３や、原稿を露光走査するための走査ミラー５等で構成されるスキャナで、原稿給送装置１により原稿台ガラス面２に原稿載置した後に、スキャナ４はＡの方向に走査されて原稿からの反射光を走査ミラー５〜７、レンズ８を介してＣＣＤ１０１に結像させる。１０はレーザースキャナで構成される露光制御部で、コントローラ部ＣＯＮＴの画像信号制御部から出力される画像データに基づいて変調された光ビームを感光体１１に照射する。１２は赤現像器、１３は黒現像器で、感光体１１に形成された静電潜像を所定の現像剤（トナー）で可視化する。現像器１２、１３は現像器切り換え装置３０により何れか一方が観光ドラム１１に接近配置され、他方が観光ドラム１１から待避配置させられる。また、多重現像を行う場合には、コントローラ部ＣＯＮＴが現像器切り換え装置３０を制御する。１４、１５はシート積載部で、定形サイズのシートが積載収納されている。シートは給送ローラの駆動により積載部１４、１５から紙センサｐｓ１または紙センサｐｓ２と紙センサｐｓ３を介してレジストローラ２５の配設位置まで給送され、レジストローラ２により感光体１１に形成される画像の先端とシートの先端とが合わさるようなタイミングで給送される。
【００１４】
１６は転写・分離帯電器で、感光体１１に現像されたトナー像をシートに転写した後、感光体１１からシートを分離して、分離センサｐｓ４により分離を確認し、搬送ベルトを介して定着部１７でシートにトナーを定着させる。１８は排紙ローラで、記録されたシートをトレー２０に排紙する。２１は方向フラッパで記録されたシートをトレー２０側に排出させるか内部搬送路２２、２３、２４に搬送させるかを切り換える。
【００１５】
両面記録時は、フラッパ２１をトレー２０側に排出するように下方にセットし、シートが排紙センサ１９を通過した後、排紙部ローラ１８を排紙方向と反対の方向に回転させ、これと同時にフラッパ２１を上方に上げて複写済のシートを搬送路２２、２３を介して中間トレー２４に格納する。中間トレーには紙センサｐｓ５があり用紙の格納を確認する。また次に行う裏面記録時に中間トレー２４に格納されているシートを給紙し、紙センサｐｓ６を介して用紙の搬送を確認し、再度転写、分離部へとシートの給紙を行いシート裏面の転写を行う。
【００１６】
また、多重記録時は、フラッパ２１を上方に上げて記録済のシートを搬送路２２、２３の搬送路を介して中間トレー２４に格納する。次に行う２度目の記録時に中間トレー２４に格納されているシートを給紙し、多重転写を行う。
【００１７】
次に本発明の一実施例である複写機のブロック図を図１に示す。
【００１８】
図１において、１０１はＣＣＤであり、原稿画像を読み取る読み取りセンサである。ＣＣＤ１０１からの出力信号はドライバ回路１０２で駆動される。この信号はアナログ信号であり、Ａ／Ｄ変換器１０３で例えば８ビットのデジタル信号に変換される。Ａ／Ｄ変換器１０３でデジタル信号に変換された画像データは画像処理部１０４に入力される。この画像処理部１０４ではＣＣＤ１０１で読み取った画像データの画像ばらつきを補正するシェーディング補正、主走査方向の変倍処理、文字モードで使用するエッジ強調処理、輝度データを濃度データに変換するＬＯＧ変換等の画像処理が行われる。この画像処理部１０４で処理された画像データはＤ／Ａ変換器１０５に入力されアナログデータに変換される。さらに、レーザードライバー回路１０６でレーザー１０７を駆動する信号に変換される。レーザー１０７はこのレーザードライバー回路１０６からのデータに従って照射径を変えることができ、プリント出力の濃淡を表現して像形成することができる。また、１０９はＦＡＸ画像処理部であり、画像処理部１０４からの出力データをファクシミリ通信するためのデータに変換する。ファクシミリ通信では２値のデータを扱うため、ここでは８ビットの画像データを輝度データから濃度データに変換した後に２値に変換し、また必要に応じて回転処理を行う。ＦＡＸ画像処理部１０９からの２値の画像データはモデム（ＭＯＤＥＭ）１１０に送られ、通信回線により相手側のファクシミリ装置にデータ送信される。メモリ送信を行う場合は画像データを圧縮処理してハードディスク（ＨＤ）１２２へ蓄えておく。一方、相手側のファクシミリ装置からの受信データはＦＡＸ画像処理部１０９で２値データからパターンマッチングにより８ビットの多値データに変換され、必要に応じて拡大処理を行って画像処理部１０４へデータを送る。メモリ受信を行う場合は多値データに変換する前にメモリ送信の時と同じように画像データを圧縮処理してハードディスク１２２へ蓄えておく。その後の処理は前述の通りであり、レーザー１０７で像形成される。
【００１９】
コンピュータ等の外部装置からのデータはドライバ／レシーバ回路である外部Ｉ／Ｆ回路１０８を通じて画像処理部１０４へ送られる。やはり、その後の処理は前述の通りであり、レーザー１０７で像形成される。
【００２０】
ＣＣＤ１０１で原稿を読み取った画像データ、相手ファクシミリ装置から送られてきた画像データ、外部機器から外部Ｉ／Ｆ回路１０８を介して送られてきた画像データはそれぞれ操作表示部１１６に表示させるために画像表示制御部１１１へ入力される。入力された画像データの中からどれか１つを操作表示部１１６により選択し、一旦読み書き可能なメモリ（ＲＡＭ）１１２内に蓄えられる。ＲＡＭ１１２に蓄えられた画像データは画像表示制御部１１１で原稿サイズ等に応じて間引き処理および回転処理され、液晶表示のドットサイズに対応した表示用メモリ（ＶＲＡＭ）１１３に書き込まれる。ＶＲＡＭ１１３内のデータはＣＰＵ１１７からの指示で液晶制御部１１４へ送出され、液晶を駆動するドライバ回路１１５をへて操作表示部１１６へと送られ表示が行われる。１１７がＣＰＵであり、画像処理装置全体の制御をＲＯＭ１１９に格納された制御プログラムに従って順次実行する。ＣＰＵ１１７のアドレスバスおよびデータバスはバスドライバー、アドレスデコーダ回路１１８をへて各負荷に接続されている。１１９は読み出し専用メモリ（ＲＯＭ）であり制御プログラムが格納されている。また、１２０は入力データの記憶や作業用記憶領域等として用いる主記憶装置であるところのランダムアクセスメモリ（ＲＡＭ）である。１２１はＩ／Ｏインターフェースであり、センサ類、モーター、スイッチ等の装置の負荷に接続される。さらにＣＰＵ１１７は画像処理部１０４、画像制御部１１１、ＦＡＸ画像処理部１０９に対して各種の命令を送り、制御を行う。
【００２１】
画像表示制御部１１１は、画像処理部１０４、外部Ｉ／Ｆ回路１０８、ＦＡＸ画像処理部１０９とデータバスで接続されており、これからの画像情報を受け取ることができる。
【００２２】
また、操作表示部１１６は液晶タッチパネル形式で構成されている。この操作表示部１１６は、コピーモードを選択すると、コピー時に利用可能な各種拡張機能や画像処理や環境設定などの設定をするための表示を行う。この表示で所望の機能をタッチパネル上で選択すると、さらに具体的な設定を行うべく順次表示を切り替えていく。また選択した処理内容も同時に表示可能である。またファックスモードを選択した場合も同様に、ファックスモードにおける設定を行うための表示を行う。また、この操作表示部１１６は画像情報を表示する場合は、まず、表示可能な範囲を表示し、オペレータの操作でスクロールさせることにより全範囲を確認することができる。複数ページの画像がある場合は順次ページを切り替えて表示することができる。
【００２３】
また操作表示部１１６はメモリ内のファイル一覧表を表示することも可能である。
【００２４】
また、操作部１２３はハードキーで構成されており、コピーやファクシミリ送信のためのスタートキー及びストップキーや、宛先入力のためのテンキーなどで構成されている。
【００２５】
次に、図１で示した操作表示部１１６に表示される基本画面を図２に示す。
【００２６】
図２において２０１は拡張機能キーであり、このキーを押すことによって両面複写、多重複写、移動、とじ代の設定、枠消しの設定等のモードに入る。２０２は画像モードキーであり、複写画像に対して網掛け、影付け、トリミング、マスキングを行うための設定モードに入る。２０３はユーザーモードキーであり、モードメモリの登録、標準モード画面の設定がユーザーごとに行える。２０４は応用ズームキーであり、原稿のＸ方向、Ｙ方向を独立に変倍するモード、原稿のサイズと複写サイズから変倍率を計算するズームプログラムのモードに入る。２０５、２０６、２０７はＭ１キー、Ｍ２キー、Ｍ３きーであり、それぞれのモードメモリを呼び出す際に押す。２０８はコールキーであり、前回設定されていた複写モードを呼び出す際に押す。２０９はオプションキーであり、フィルムから直接複写するためのフィルムプロジェクター等のオプション機能の設定を行う。２１０はソーターキーであり、ソーターのソート、グループ等のモード設定を行う。２１１は原稿混載キーであり、原稿フィーダーにＡ４サイズとＡ３サイズ、またはＢ５サイズとＢ４サイズの原稿を一緒にセットする際に押す。２１２は等倍キーであり、複写倍率を１００％にする際に押す。２１４、２１５はそれぞれ縮小キー、拡大キーであり、定形の縮小、拡大を行う際に押す。２１６はズームキーであり、１％刻みで非定形の縮小、拡大を行う際に押す。２１３は用紙選択キーであり、複写用紙の選択を行う際に押す。２１８、２２０は濃度キーであり、２１８を押すごとに濃く複写され、２２０を押すごとに薄く複写される。２１７は濃度表示であり、濃度キーを押すと表示が左右へ変化する。２１９はＡＥキーであり、新聞のように地肌の濃い原稿を自動濃度調整複写するときに押す。２２１はＨｉＦｉキーであり、写真原稿のように中間調の濃度が多い原稿の複写の際に押す。２２２は文字強調キーであり、文字原稿の複写で文字を際立たせたい場合に押す。２２３はガイドキーであり、キーの機能が解らないとき押すとそのキーの説明が表示される。２２４はコピーモードキーであり、複写を行うときに押す。２２５はファックスキーであり、ファックスモードでの処理を行うときに押す。
【００２７】
次に図１で示した操作表示部１１６に表示されるファックスモードにおける基本画面を図３に示す。
【００２８】
２２５のファックスキーを押すとこの画面が表示する。３０１は応用通信キーであり、タイマー通信や親展送信、ポーリング等を行うときに押す。３０２は画像処理キーであり、マーカーによるエリア指定やマスキング、トリミング等の画像処理を行うときに押す。３０３は登録管理キーであり、通信管理レポートを表示したり、短絡ダイヤルやワンタッチダイヤルの登録等を行うときに押す。３０４はメモリ照会キーであり、送信文書、受信文書のメモリ内のリストの表示やその文書の画像表示を行うときに押す。３０５はリダイヤルキーであり、同じ相手に続けて送信するときに押す。３０６は手動受信キーであり、手動で受信するときに押す。３０７は発信人名称キーであり、発信人の名称を登録するときに押す。３０８は電話帳キーであり、登録された宛先の短縮ダイヤル、相手の略称を検索して送信するときに押す。３０９は解像度キーであり、標準、ファイン、スーパーファイン、ウルトラファインの各解像度モードを選択するときに押す。３１０は画質キーであり、文字、ハーフトーンの各画質モードを選択するときに押す。３１１は読取サイズキーであり、原稿のサイズを手動で指定するときに押す。３１２は短縮キーであり、短縮ダイヤルが登録されている宛先に送信するときに押す。３１３はポーズキーであり、電話番号の時間間隔をおくときに押す。３１４はトーンキーであり、トーン回線を使用するときに押す。３１５はモニターキーであり、送信または受信の状態を確認するときに押す。
【００２９】
次に、図４〜図１６のフローチャートを用いて、以上の構成を備える本実施例の動作を説明する。
【００３０】
まず、操作表示部１１６の操作画面について図４により説明する。まず４０２で図２に示したコピーモードの画面を表示し、図２で示したファックスキー２２５が押されると（４０３）、ファックス画面を表示（４０４）し、ファックス画面においてコピーモードキー（図２の２２４）が押される（４０５）と、また、コピー画面の表示に戻る。
【００３１】
図５はコピーモードを選択する場合の処理の流れを示したものである。まずステップ５０２において、コピーモードキー２２４が押されると、コピーモード画面となり、所望の設定を行う。ステップ５０４においてファクシミリ受信データのプリント中であるかどうか判断され（５０６）、プリント中でないときにはステップ５０６へ、プリント中であるときにはステップ５０７へ移る。次に、ステップ５０６において、ファックスのプリント途中であるか、すなわち、現在の装置の状態が受信したファックスのプリントとプリントの間のプリントしていない状態であるかどうか判断される。（以後、印字中の場合をプリント中、ページ間で印字中でない場合をプリント途中と称す。）ステップ５０７は現在設定されているコピーモードとファクシミリ受信データのプリント中のモードあるいはプリント途中のモードを両方実行できるかどうかの判断がおこなわれる。実行できない場合には操作表示部１１６の操作画面に「ＦＡＸ受信中です」という表示をして、コピー動作ができないことを示す。また、実行可能な場合にはコンピュータ等の外部装置からのデータのプリント中であるかどうかの判断（ステップ５０９）、プリント途中であるかどか、すなわち、複数枚プリントにおいてのプリントプリントの間のプリントしていない状態であるかどうかの判断が行われる。プリント中またはプリント途中であるときには、現在設定されているコピーモードと、外部装置からのプリントモードを両方実行できるかどうかの判断が行われる（ステップ５１１、５１２）。実行できない場合には操作表示部１１６の操作画面に「プリントしています」の表示をして、コピーができないことを示す。
【００３２】
次に、ステップ５１３においてコピー中であるかどうか判断され、コピー中であるときにはそのまま終了して、コピー中でないときには「コピーできます」の表示をする（ステップ５１４）。さらに、コピースタートキー（不図示）が押されると操作画面に「コピーしています」の表示を行う（ステップ５１５、５１６）。
【００３３】
図６はファックスモードを選択する場合の処理の流れを示したものである。
【００３４】
まずステップ６０２においてファックスキー２２５が押されたかどうかの判断がされ、ファックスキー２２５が押された場合にはファックスモード画面となり、所望の設定を行う。
【００３５】
次に、ファクシミリ受信データのプリント中であるか、プリント途中であるかどうかの判断がされ、プリント中またはプリント途中であるときにはステップ６０６のファックス送信判断に移り、ファクシミリ受信データのプリント中またはプリント途中のモードと設定されている送信モードが同時に実行できるかどうかの判断がおこなわれる。同時に処理できないときには、操作表示部１１６の操作画面に「ＦＡＸ受信中です」を表示して、ファックスの送信動作を禁止する。
【００３６】
外部装置からのデータのプリント中またはプリント途中であるときにはステップ６１０のＦＡＸ送信処理判断に移り、ステップ６０６と同様の判断が行われる。同時に実行できないときには、操作表示部１１６の操作画面に「プリントしています」の表示をして、送信動作を禁止する。
【００３７】
ステップ６１２において、コピー中であるかどうかの判断がされ、コピー中の場合には「コピーしています」の表示をして、ファックスの送信を禁止する。またコピーしていない場合には、操作表示部１１６の操作画面に「ＦＸＡ送信できます」の表示を行う。さらにファックス送信スタートキー（不図示）が押されると操作表示部１１６の操作画面に「ＦＡＸ送信しています」の表示を行う。
【００３８】
次に、本実施例の複写機で行われる処理を図７に示す。
【００３９】
本実施例の複写機ではＦＡＸ処理、プリント処理、ＣＯＰＹ処理を行う。
【００４０】
図８〜図１０は図７の処理を詳しく説明したものである。
【００４１】
図８はＦＡＸ処理（図７の７０２）の流れを示すフローチャートである。まず、ステップ８０２において、現時点でＦＡＸ受信（プリント可能）かどうか判断する。ステップ８０３でＦＡＸ受信可能な場合はステップ８０４に移り、ＦＡＸ受信のプリント要求が起こると受信処理を行う。ステップ８０３において受信可能な場合でないとき、受信可能な状態でも受信要求がないときには、ステップ８０６のＦＡＸ送信判断に移る。
【００４２】
ＦＡＸ送信判断に関してもステップ８０３から８０５と同様に、ステップ８０６において、ＦＡＸ送信可能な状況であるかの判断が行われ、送信可能な状況であると判断され、送信要求が行われると、送信処理をする。
【００４３】
図９は図７のステップ７０３のプリント処理の流れを示すフローチャートである。
【００４４】
まず、ステップ９０２において、外部装置からのデータのプリントをしてもよい状況であるかの判断をし、ステップ９０３でプリント処理可能な場合で、ステップ９０４でプリント要求がある場合にはステップ９０５でプリント処理を行う。
【００４５】
同様に図１０は図７のステップ７０４のＣＯＰＹ処理の流れを示すフローチャートである。
【００４６】
まず、ステップ１００２においてコピーをして良い状況であるかどうかの判断が行われ、ステップ１００３でコピー可能であると判断されステップ１００４でコピー処理要求がある場合にはステップ１００５でコピー処理を行う。
【００４７】
次に図１１〜図１４は図８〜図１０の処理の判断部分の内容を説明したものである。
【００４８】
図１１は図８のステップ８０２のＦＡＸ受信判断を説明したものである。
【００４９】
ステップ１１０２の処理判断においては現在の装置の状況を判断する。例えば、片面コピーで１０枚コピー中であるといった判断を行う。
【００５０】
さらにステップ１１０３ではファクシミリ受信した場合の受信データをプリントするモード、例えば片面印刷であるとか、両面印刷であるとか、濃度を濃くするとか薄くするといったプリントに際してのモードの判断が行われる。また、ここで、ファクシミリ受信しない場合にはモードの指定はされない。
【００５１】
ステップ１１０４の両立判断処理ではステップ１１０２の処理判断において判断された装置の状況と、これからファクシミリ受信して印刷するモードが両立するかどうか、即ち、現在の装置の状況において、指定しているファクシミリ受信したデータのプリントモードが実行できるかどうかの判断がされて処理を終了する。
【００５２】
次に、図１２は図８のステップ８０６のＦＡＸ送信判断の内容を示すものである。ステップ１２０２の処理判断部分の内容はステップ１１２０の処理判断部分の内容と同様であるので説明を省略する。
【００５３】
ステップ１２０３のＦＡＸ送信指定モード判断はＦＡＸ送信に関して操作表示部１１６からユーザにより指定されたＦＡＸの送信モードを判断する。
【００５４】
次に、ステップ１２０４の両立判断処理はステップ１１０４と同じ処理を示し、装置の状況と指定されたＦＡＸの送信モードが両立するかどうかの判断が行われる。
【００５５】
図１３は図９のステップ９０２のプリント処理判断を示したものである。
【００５６】
ステップ１３０３のプリント指定モード判断は外部装置により指定されたプリント指定モードを判断し、ステップ１３０４の両立判断処理により指定されたモードでのプリントが現在の装置の橋上でできるかどうかを判断する。
【００５７】
図１４は図１０のステップ１００２のＣＯＰＹ処理判断の内容を示したものである。
【００５８】
ステップ１４０２の処理判断により装置の状況を判断し、ＣＯＰＹ指定モード判断により図２のコピーモードの画面により指定されているコピーモードの設定条件を判断し、そのコピーモードの条件でコピーができるかどうかの判断を両立判断処理において行う。
【００５９】
図１５は図１１〜図１４の処理判断の内容を詳しく説明したものである。
【００６０】
ステップ１５０２、１５０３においてファクシミリ送信データの読み取り中か読み取り途中であるかどうかの判断が行われ、読み取り中であるときにはスキャナーフラグをＯＮし、読み取り途中であるときにはスキャナー途中フラグをＯＮし、読み取り中でないとき、読み取り途中でないときにはスキャナーフラグ、スキャナー途中フラグをＯＦＦとする。ここで読み取り中とは現在、ファクシミリ送信データを読み取っている最中であることを表し、読み取り途中とはページ間で読み取っている最中ではないことを表す。
【００６１】
次に、ステップ１５０７のスキャナーモード判断ではファクシミリ送信に関しての読取条件モードを判断する。
【００６２】
次に、ステップ１５０８ではファクシミリ受信データをプリント中であるか、ステップ１５０９では複数枚のファクシミリ受信データのプリント途中であるか、ステップ１５１０では外部装置からのデータをプリント中であるか、ステップ１５１１では複数枚ある外部装置からのデータのプリントの途中であるか判断し、ステップ１５１２ではコピー中であるかの判断がされる。
【００６３】
それぞれの状況に応じてプリント中フラグ、プリント途中フラグがＯＮされる。またコピー中であるときにはスキャナーフラグのＯＮされ、スキャナー部分が使用されていることが確認できる。
【００６４】
また、ステップ１５１７のプリントモード判断では実行中のプリントに関しての指定されている条件モードが判断される。
【００６５】
次に図１６は図１１〜図１４の両立判断処理の内容を示したものである。
【００６６】
まず、ステップ１６０２において両立するかの判断が行われ、両立するときには両立フラグをＯＮし両立しないと判断されたときには両立フラグをＯＦＦとする。
【００６７】
さらに、両立判断の判断方法について具体的に説明する。
【００６８】
外部装置からのデータを用紙の両面にプリント中、プリント途中にコピー操作における両面コピーを禁止する方法を例に説明する。
【００６９】
外部装置から１０ページ分のデータを５枚の用紙の両面にプリントするモードが設定されているとする。
【００７０】
図７のステップ７０４のＣＯＰＹ処理の内容を具体的に説明するのは図１０のＣＯＰＹ処理フローであり、その中のステップ１００２のＣＯＰＹ処理判断をさらに詳しく説明しているのが図１４である。
【００７１】
図１４のステップ１４０２の処理判断において、外部装置からのデータを両面プリントするために１枚目の用紙が図２２のカセット１４から給紙されるとし、給紙動作が始まるとセンサｐｓ２がＯＮとなる。さらにプリントを開始すると、図１５のステップ１５１０においてプリント中であると判断し、ステップ１５１４においてプリント中フラグがＯＮとなる。
【００７２】
次に、図１５のステップ１５１７のプリントモード判断では外部装置からのデータの両面プリントを実行中であることが判断される。
【００７３】
次に、図２で示したコピーモードの操作画面において拡張キー２０１を押下すると現在の表示から切り替わって表示されるキーの一つである両面コピーキー（不図示）の押下により両面コピーモードが設定されると、図１４のステップ１４０３のＣＯＰＹ指定モード判断により両面コピーモードが指定されていることが判断される。次に、ステップ１４０４の両立判断処理の詳細である図１６のステップ１６０２において、現在、外部装置からのデータをプリント中であるのでコピー動作が不可能となり、両立しないと判断し、ステップ１６０４で両立フラグがＯＦＦとなる。
【００７４】
ここで、図１０に戻り、ステップ１００３においてＣＯＰＹ不可能と判断し、図５のステップ５１７の表示を操作表示部１１６にて行う。
【００７５】
次に、１枚目のプリントが終了し続く２枚目のプリント準備をしている状態では、用紙は中間トレー（図２２の２４）に収納されている。このとき、図１５のステップ１５１１において、プリント途中であると判断し、ステップ１５１６でプリント途中フラグがＯＮとなり、次にプリントモード判断（ステップ１５１７）により外部装置からの両面プリントを実行中であると判断される。
【００７６】
また、図１４のステップ１４０３のＣＯＰＹ指定モード判断では引き続き両面コピーモードが指定されている。次に、ステップ１４０４の両立判断処理において、外部装置からのデータの両面プリントでプリント途中であっても、ＣＯＰＹ指定モードが両面コピーモードであれば、中間トレーの用紙と混在してしまう可能性があるので両面コピーを禁止すべく図１６のステップ１６０４で両立フラグをＯＦＦとする。また、プリント中フラグ、プリント途中フラグがともにＯＦＦであればプリントが終了した場合であり、両面コピーを許可すべく表示する。
【００７７】
以上、一連の処理の流れを図１７のフローチャートに示す。
【００７８】
本実施例ではプリント中フラグがＯＮである場合プリントに関する割り込みを禁止し、また、プリント中フラグがＯＦＦであって、図１５のステップ１５１７のプリントモード判断で外部装置からのデータの両面プリントが実行されていると判断し、図１４のステップ１４０３のＣＯＰＹ指定モード判断で両面コピーを指定した場合はこの両面コピーを禁止する。後者の場合は外部装置からのデータの両面プリント実行中の両面コピーの割り込みを禁止するものに限ったものではなく両面プリントに関するもの全てに当てはまる。ただし、両面プリント行っている場合、プリント途中に片面コピーの割り込みは許可するようにする。また、同じモードでの割り込みは割込キー押下後、異なるモード間の割り込みはモード切替えキー（２２４、２２５）を押下した後行う。
【００７９】
以上述べたように本実施例によれば、スキャナーフラグ、スキャナー途中フラグ、プリント中フラグ、プリント途中フラグの状態、図１５のステップ１５１７のプリントモード判断の判断結果、図１１のステップ１１０３、図１２のステップ１２０３、図１３のステップ１３０３、図１４のステップ１４０３の各指定モード判断の判断結果に基づいて割り込みの禁止または許可、即ち両立フラグのＯＦＦまたはＯＮを決定するので効率よく複数の処理を実行することができる。
【００８０】
また、現在、割り込み可能かどうか区別して表示（図５の５１４、５１７、５１８、図６の６１３、６１５、６１７）するのでオペレータは容易に認識することができる。また、どの機能が現在実行可能かも認識でき、操作性が向上する。
【００８１】
（第２の実施例）
第１の実施例では両面プリントが完全に終了するまで、両面コピー動作を禁止したが、本実施例では、中間トレーに用紙が残っていないときには両面コピーを許可する方法について述べる。
【００８２】
外部装置からの１０ページ分のデータを５枚の用紙の両面にプリント中、プリント途中にコピー操作における両面コピーを禁止、許可する方法を例に説明する。
【００８３】
図１４のステップ１４０２の処理判断において、外部装置からのデータを両面プリントするために１枚目の用紙が図２２のカセット１４から給紙されるとし、給紙動作が始まるとセンサｐｓ２がＯＮとなる。さらにプリントを開始すると、図１５のステップ１５１０においてプリント中であると判断し、ステップ１５１４においてプリント中フラグがＯＮとなる。
【００８４】
次に、図１５のステップ１５１７のプリントモード判断では外部装置からのデータの両面プリントを実行中であることが判断される。
【００８５】
次に、両面コピーモードが設定されると第１の実施例と同様に両面コピーの実行を禁止すべく両立フラグをＯＦＦとする。
【００８６】
次に、外部装置からの１ページ目のデータプリント（用紙の片側）が終了し、続く２ページ目（同じ用紙の裏側）のプリント準備をしている状態では、用紙は中間トレー（図２２の２４）に収納されている。このとき、図１５のステップ１５１１において、プリント途中であると判断されプリントモード判断（ステップ１５１７）により外部装置からの両面プリント実行中で中間トレーに用紙が入っていると判断される。
【００８７】
続いて、図１４のステップ１４０３のＣＯＰＹ指定モード判断では引き続き両面コピーモードが指定されている。したがって、ステップ１４０４の両立判断処理においてプリントモードで中間トレーを使用中であり、両面コピーが不可能であると判断され、コピー動作と両立しないと判断される。
【００８８】
図１０のステップ１００３の“ＣＯＰＹ可能か”の判断において、“ＮＯ”が選択され、コピー処理を禁止する。
【００８９】
引き続き中間トレーに入っている用紙が給紙され２ページ目のプリントが行われて、排紙センサ（図２２の１９）を通って排紙トレー２０に出力されると、３ページ目のプリント動作の始まるまでは次のようになる。
【００９０】
このとき図１５のステップ１５１１においてプリント途中であると判断されるが、図２２の紙検知センサｐｓ５より中間トレーに用紙が残っていないことが確認される。すると図１４のステップ１４０３の“ＣＯＰＹ指定モード判断”では両面コピーモードが指定されていると判断されるが、ステップ１４０４の“両立判断処理”において、両立すると判断される。それはこの時点で両面コピー動作モードに移行しても、中間トレーに用紙が残っていないので、両面コピー動作を行い、両面コピー動作終了後、プリント動作を引き続き行えばよいためである。
【００９１】
図１０に移り、ステップ１００３の“ＣＯＰＹ可能か”の処理においてＣＯＰＹ可能であるが選択され、ステップ１００４の“ＣＯＰＹ処理要求”があるかないかの判定がされる。ＣＯＰＹ処理要求が入力された場合にはステップ１００５の“ＣＯＰＹ処理”動作に移る。そのとき図１３のステップ１３０２の“処理判断”では両面コピー中であると判断される。そのため、ステップ１３０４の“両立判断処理”により、プリント処理とは両立しないと判断され、プリント処理を禁止する。このようにして、外部装置からのプリント処理はコピー動作が終了するまで中断され、コピー動作終了後、図７ステップ７０２の“ＦＡＸ処理”を経てプリント処理が引き続き行われる。以上、一連の処理の流れを図１８のフローチャートに示す。このときの“ＦＡＸ処理”については以下に説明する。
【００９２】
また、ステップ１００４の“ＣＯＰＹ処理要求”においてＣＯＰＹ処理要求が生じない場合には、ステップ１００６のＲＥＴで終了し、図７のステップ７０２の“ＦＡＸ処理”に移る。図１１のＦＡＸ受信判断ではステップ１１０２の“処理判断”ではプリント途中であると判断され、ステップ１１０４の“両立判断処理”において外部装置からのデータの出力中にはＦＡＸ受信とは両立しないと判断され、ＦＡＸの受信処理を終了する（受信データのプリントを行わない）。また、このコピーモードの設定画面ではＦＡＸ送信は行わないので、ＦＡＸ送信処理を終了する。
【００９３】
続いて、図７のステップ７０３の“プリント処理”により、引き続き３ページ目のプリント処理が１ページ目のプリント処理と同様に行われる。このようにして１０ページ分のデータが出力されるまで、以上の処理を繰り返す。
【００９４】
このようにして、第２の実施例によれば中間トレーに用紙が残っているかどうか検知し、外部装置からのデータのプリントの処理中であっても、両面プリントの途中の中間トレーに用紙が残っていないとき、つまり複写機内に用紙が滞留していないときには、両面コピーの割り込み動作を許可するようにしたので、割り込みで両面コピーを行おうとしていたユーザを長時間待たせずにすみ、また、装置の動作を無駄にすることなく更に、効率よく動作させることができる。
【００９５】
（第３の実施例）
前述の実施例では、外部装置から送られてくる画像データをプリントしているときにコピー処理を割り込む場合について説明したが、以下に述べる第３の実施例ではコピー、ファクシミリ受信データのプリント、または他の外部装置から送られてくる画像データをプリントしているときに外部装置からのプリント要求があった場合について説明する。図２１は、図１及び図２２に示した複写機をネットワークに接続した場合の形態例を示したものである。図２１において、２１０１、２１０２、２１０５はパーソナルコンピュータ等の外部装置である。２１０３は種々の機器を接続するためのローカルエリアネットワーク（ＬＡＮ）である。２１０４は図１、及び図２２に示した複写機である。外部装置２１０１、２１０２または２１０５で作成した文書データや図形データ等の様々な画像データはプリント命令とともに複写機２１０４へ送り、複写機２１０４のレーザー１０７によりプリント処理を行う。また、２１０６は複数のビンが設けられたソータである。
【００９６】
図１９は複写機２１０４のプリント処理に関する動作状況を判断するための流れを示すフローチャートである。図１９に示すようにコピー中、コピー途中、プリント中、プリント途中の判断を行い、該当するフラグのオン、オフを設定しておく。
【００９７】
次に、図２０に示すフローチャートを用いて第３の実施例に基づく複写機２１０４の処理の流れを説明する。
【００９８】
まず、ステップ２００２において外部装置からのプリント要求があったか否か判断する。ここでプリント要求があればステップ２００３に進み、コピー中フラグ及びコピー途中フラグの状態によりコピーを行っているか否か判断する。ここで、コピーを行っていればステップ２００４に進み、プリント要求をしてきた外部装置に対し、コピーを行っていることを通知する。
【００９９】
ステップ２００３でコピーを行っていないと判断すると、ステップ２００５に進み、プリントを行っているか否か判断する。ここでのプリントはファクシミリ受信データのプリントまたはプリント要求を行った外部装置以外の外部装置から送られてきた画像データのプリントである。そして、プリントを行っていると判断するとステップ２００７に進み、プリント要求をしてきた外部装置に対し、プリントを行っていることを通知する。一方、ステップ２００５でプリントを行っていないと判断すると、ステップ２００６に進み、ステップ２００２にプリント要求を受けた外部装置から画像データを受け取り、外部装置から指示されたモードでプリント処理を行う。
【０１００】
ステップ２００８ではプリント要求を行った外部装置に対し、処理の選択を行うよう要求する。ここで選択される処理は、割込を優先するモード、交互に処理するモード、またはキャンセルである。割り込みを優先するモードでは現在実行しているコピーまたはプリントをコピー途中またはプリント途中になったときに中断し、プリント要求のあった外部装置から送られてくる画像データのプリントを行う（複数ページの画像データが送られてくればすべてプリントする。）。その後、中断していたコピーまたはプリントを再開する。ただし、先に実行していた処理が両面コピーまたは両面プリントで外部装置からのプリント要求が両面プリントであれば、前述の第２の実施例のように中間トレーに用紙が残っていない場合に処理を中断する。交互に処理するモードでは現在実行しているコピーまたはプリントと要求を行ったプリントとを用紙１枚の記録毎に交互に行う。つまり、両面プリントであれば、用紙の裏表にプリントし、片面プリントであれば用紙の片面にプリントし、排紙する毎に処理を切換える。また、本実施例の複写機２１０４では操作部１２３により、割込の拒否を行うことを設定しておくことができ、これが設定されていると上記２種類のモードが選択されても先に実行されている処理は中断せず割り込まれない。
【０１０１】
ステップ２００９で割込を優先するモードが外部装置から選択されると、ステップ２０１０に進み、割り込み拒否が設定されているか判断し、設定されていれば、プリント要求をしてきた外部装置に対し、割り込んでプリント処理できないことを通知する。設定されていなければ、先に実行していたコピーまたはプリント中断してプリント要求を行った外部装置から送られてくる画像データを受け取り、外部装置から指定されたモードに従ってプリント処理を行う。このプリント処理が終了すると、中断していたコピーまたはプリントを再開する。このときプリントされた記録紙はソータ２１０６で、処理毎に異なるビンに排紙される。
【０１０２】
ステップ２０１３で交互に処理するモードが外部装置から選択されると、ステップ２０１４に進み、割り込み距離が設定されているか判断し、設定されていればプリント要求をしてきた外部装置に対し、割り込んでプリント処理できないことを通知する。設定されていなければ先に実行していたコピーまたはプリントで記録紙１枚分の記録が終了し、排紙されると処理を一旦中断し、プリント要求があった外部装置から送られてきた画像データの記録を行う。以後同様に記録紙１枚分毎に先に実行していた処理と外部装置から送られた画像データのプリントを交互に行う。ただし、どちらかの処理が終ると連続してコピーまたはプリントを行う。このときプリントされた記録紙はソータ２１０６で処理毎に異なるビンに排紙される。
【０１０３】
また、ステップ２０１７でプリント要求をしてきた外部装置がキャンセルを選択するとプリント要求を取り消し先に実行していたコピーまたはプリントを続行する。
【０１０４】
以上述べた様に第３の実施例によれば、複写機２１０４から離れた位置にいる外部装置のオペレータに複写機２１０４の処理状況を通知することができる。
【０１０５】
また、外部装置からプリント要求する場合に複写機２１０４が記録に関する処理を行っていても２種類の割込モード（割込を優先するモード、交互に処理するモード）を選択することができる。
【０１０６】
また、ステップ２０１７でキャンセルを選択して、同じＬＡＮ２１０３に接続されている他のプリンタ装置でプリントさせることもできる。
【０１０７】
また、複写機２１０４側では割り込みの拒否を設定しておけるので、割り込ませないようにしておくことができる。
【０１０８】
以上の第３の実施例では、両面コピーや両面プリントを行っているときに外部装置から両面プリントのプリント要求があると中間トレーに用紙がなければ割り込むようにしたが、前述の第１の実施例のように外部装置からの両面プリント要求は受け付けないようにしてもよい。このとき、中間トレーに用紙があるときは、外部装置からのプリント要求は片面プリントは許可する。
【０１０９】
また、外部装置からのプリント要求で、プリント枚数を識別し、ページ数が少ないときには割り込みプリントを許可し、多い場合は禁止するようにしてもよい。
【０１１０】
また、外部装置からプリント要求を行ったとき、複写機２１０４がコピーまたはプリントを行っていることを確認（ステップ２００４またはステップ２００７）すると、外部装置のオペレータが複写機２１０４の操作部１２３の割り込みキーを押下することで実行中のコピーまたはプリントを中断し、外部装置からのプリント処理を優先させて割り込むようにしてもよい。
【０１１１】
【発明の効果】
以上説明したように、本発明によれば画像データの出力処理の実行中に、画像処理装置から離れた位置にいる外部装置から画像データの出力要求があった場合、出力要求にかかる画像データの出力処理を実行させるか否かの選択を外部装置へ要求し、外部装置のオペレータが選択した実行内容に応じた適切な出力処理を実行する画像処理装置及びその制御方法を提供することができる。
【図面の簡単な説明】
【図１】本発明の一実施例である複写機のブロック図である。
【図２】図１に示した操作表示部１１６におけるコピーモードでの基本画面を示す図である。
【図３】図１に示した操作表示部１１６におけるファックスモードでの基本画面を示す図である。
【図４】図１に示した操作表示部１１６におけるモード切替えの流れを示す図である。
【図５】コピーモードを選択する場合の処理の流れを示す図である。
【図６】ファックスモードを選択する場合の処理の流れを示す図である。
【図７】本発明の一実施例である複写機で行われる処理を示す図である。
【図８】図７のステップ７０２のＦＡＸ処理の詳細を示す図である。
【図９】図７のステップ７０３のプリント処理の詳細を示す図である。
【図１０】図７のステップ７０４のＣＯＰＹ処理の詳細を示す図である。
【図１１】図８のステップ８０２のＦＡＸ受信判断の詳細を示す図である。
【図１２】図８のステップ８０６のＦＡＸ送信判断の詳細を示す図である。
【図１３】図９のステップ９０２のプリント処理判断の詳細を示す図である。
【図１４】図１０のステップ１００２のＣＯＰＹ処理判断の詳細を示す図である。
【図１５】図１１〜図１４の処理判断の詳細を示す図である。
【図１６】図１１〜図１４の両立判断処理の詳細を示す図である。
【図１７】実行中の処理状況及び設定した処理の条件から設定した処理が割り込めるか否か判断する処理の流れを示すフローチャートである。
【図１８】実行中の処理状況及び設定した処理の条件から設定した処理が割り込めるか否か判断する処理の流れを示すフローチャートである。
【図１９】実行中の処理状況の判断の詳細を示す図である。
【図２０】外部装置からプリント要求があった場合の処理の流れを示す図である。
【図２１】図１に示した複写機をＬＡＮに接続した場合の接続例を示す図である。
【図２２】本発明の一実施例である複写機の断面図である。
【符号の説明】
１０１  ＣＣＤ
１０２  ドライバ回路
１０３  Ａ／Ｄ変換器
１０４  画像処理部
１０５  Ｄ／Ａ変換器
１０６  レーザードライバ回路
１０７  レーザー
１０８  外部Ｉ／Ｆ回路
１０９  ＦＡＸ画像処理部
１１０  ＭＯＤＥＭ
１１１  画像表示制御部
１１２  ＲＡＭ
１１３  ＶＲＡＭ
１１４  液晶制御部
１１５  ドライバ回路
１１６  操作表示部
１１７  ＣＰＵ
１１８  バスドライバ・アドレスデコーダ回路
１１９  ＲＯＭ
１２０  ＲＡＭ
１２１  Ｉ／Ｏインターフェース
１２２  ＨＤ（ハードディスク）
１２３  操作部
【図１】
0003715691.tif 000002
【図２】
0003715691.tif 000003
【図３】
0003715691.tif 000004
【図４】
0003715691.tif 000005
【図５】
0003715691.tif 000006
【図６】
0003715691.tif 000007
【図７】
0003715691.tif 000008
【図８】
0003715691.tif 000009
【図９】
0003715691.tif 000010
【図１０】
0003715691.tif 000011
【図１１】
0003715691.tif 000012
【図１２】
0003715691.tif 000013
【図１３】
0003715691.tif 000014
【図１４】
0003715691.tif 000015
【図１５】
0003715691.tif 000016
【図１６】
0003715691.tif 000017
【図１７】
0003715691.tif 000018
【図１８】
0003715691.tif 000019
【図１９】
0003715691.tif 000020
【図２０】
0003715691.tif 000021
【図２１】
0003715691.tif 000022
【図２２】
0003715691.tif 000023